(57)【特許請求の範囲】
【請求項１】
文字情報と、映像とが再生時刻を介して互いに関連付けられた文字情報付コンテンツを再生することによって、少なくとも当該映像を表示装置に表示するコンテンツ再生装置であって、
上記文字情報から所定のキーワードを抽出する抽出手段と、
少なくとも上記抽出されたキーワードに基づいて、上記文字情報付コンテンツに関連する関連コンテンツの内容を表すコンテンツ情報を取得するコンテンツ情報取得手段と、
上記コンテンツ情報を上記表示装置に表示する表示手段と、
上記文字情報を上記表示装置に表示する文字情報表示手段と、
上記文字情報表示手段による上記文字情報の表示タイミングに同期させて、上記文字情報に対応する上記映像を上記表示装置に表示する映像表示手段と、
少なくとも１つのキーワードが登録されており、かつ当該キーワードがユーザーの使用状況に応じて更新されるユーザーデータベースとを備え、
上記コンテンツ情報取得手段は、上記抽出手段によって抽出されたキーワードと、上記ユーザーデータベースに登録されている上記キーワードとの両方に基づいて、上記コンテンツ情報を取得することを特徴とするコンテンツ再生装置。
【請求項２】
上記文字情報付コンテンツは、上記キーワードを少なくとも１つ有する、複数の話題に区切られており、
上記コンテンツ情報取得手段は、上記話題ごとに、上記コンテンツ情報を取得することを特徴とする請求項１に記載のコンテンツ再生装置。
【請求項３】
上記コンテンツ情報取得手段は、上記キーワードの重み付けを示すパラメータにさらに基いて、コンテンツ情報を取得することを特徴とする請求項１または２に記載のコンテンツ再生装置。
【請求項４】
上記抽出手段は、上記文字情報付コンテンツを識別するコンテンツ識別情報をさらに抽出することを特徴とする請求項３に記載のコンテンツ再生装置。
【請求項５】
上記コンテンツ情報のいずれかをユーザーによる操作に基いて選択するコンテンツ情報選択手段と、
選択された上記コンテンツ情報に対応する関連コンテンツを取得する関連コンテンツ取得手段と、を備えていることを特徴とする請求項１から４のいずれか１項に記載のコンテンツ再生装置。
【請求項６】
文字情報と、映像とが再生時刻を介して互いに関連付けられた文字情報付コンテンツを再生することにより、少なくとも映像を表示する映像表示ユニットと、少なくとも上記文字情報付コンテンツに関連する関連コンテンツの内容を表すコンテンツ情報を表示装置に表示する情報表示ユニットと、を備えたコンテンツ再生システムであって、
上記映像表示ユニットおよび上記情報表示ユニットの少なくともいずれかが、上記文字情報から所定のキーワードを抽出する抽出手段と、
少なくとも上記抽出されたキーワードに基づいて、上記コンテンツ情報を取得するコンテンツ情報取得手段と、
少なくとも１つのキーワードが登録されており、かつ当該キーワードがユーザーの使用状況に応じて更新されるユーザーデータベースと、を備え、
上記映像表示ユニットは、上記文字情報を表示すると共に、上記文字情報の表示タイミングに同期させて、上記文字情報に対応する上記映像を上記表示装置に表示し、
上記コンテンツ情報取得手段は、上記抽出手段によって抽出されたキーワードと、上記ユーザーデータベースに登録されている上記キーワードとの両方に基づいて、上記コンテンツ情報を取得することを特徴とするコンテンツ再生装置。
【請求項７】
文字情報と、映像とが再生時刻を介して互いに関連付けられた文字情報付コンテンツを再生することによって、少なくとも当該映像を表示装置に表示するコンテンツ再生方法であって、
上記文字情報から所定のキーワードを抽出する抽出ステップと、
少なくとも上記抽出されたキーワードに基づいて、上記文字情報付コンテンツに関連する関連コンテンツの内容を表すコンテンツ情報を取得するコンテンツ情報取得ステップと、
上記コンテンツ情報を上記表示装置に表示する表示ステップと、
上記文字情報を上記表示装置に表示する文字情報表示ステップと、
上記文字情報表示ステップにおける上記文字情報の表示タイミングに同期させて、上記文字情報に対応する上記映像を上記表示装置に表示する映像表示ステップとを含み、
上記コンテンツ情報取得ステップでは、上記抽出ステップにおいて抽出されたキーワードと、少なくとも１つのキーワードが登録されており、かつ当該キーワードがユーザーの使用状況に応じて更新されるユーザーデータベースに登録されている上記キーワードとの両方に基づいて、上記コンテンツ情報を取得することを特徴とするコンテンツ再生方法。
【請求項８】
文字情報と、映像とが再生時刻を介して互いに関連付けられた文字情報付コンテンツを再生することによって、少なくとも当該映像を表示装置に表示するコンテンツ再生装置と、当該コンテンツ再生装置が少なくとも１つ接続されたコンテンツサーバ装置と、を備えたコンテンツ情報表示システムであって、
上記コンテンツ再生装置は、
上記文字情報から所定のキーワードを抽出する抽出手段と、
少なくとも上記抽出されたキーワードに基づいて、上記文字情報付コンテンツに関連する関連コンテンツの内容を表すコンテンツ情報を、上記コンテンツサーバ装置から取得するコンテンツ情報取得手段と、
上記コンテンツ情報を上記表示装置に表示する表示手段と、
上記文字情報を上記表示装置に表示する文字情報表示手段と、
上記文字情報表示手段による上記文字情報の表示タイミングに同期させて、上記文字情報に対応する上記映像を上記表示装置に表示する映像表示手段とを備えており、
上記コンテンツサーバ装置は、
上記文字情報付コンテンツを蓄積するコンテンツ蓄積部と、
少なくとも上記キーワードを上記コンテンツ再生装置から受信する受信手段と、
少なくとも上記キーワードに基いて上記コンテンツ蓄積部より抽出された上記関連コンテンツから、上記コンテンツ情報を作成するコンテンツ情報作成手段と、
上記コンテンツ情報を上記コンテンツ再生装置へ送信する送信手段と、
を備え、
上記コンテンツ再生装置は、さらに、
上記文字情報を上記表示装置に表示する文字情報表示手段と、
上記文字情報表示手段による上記文字情報の表示タイミングに同期させて、上記文字情報に対応する上記映像を上記表示装置に表示する映像表示手段と、
少なくとも１つのキーワードが登録されており、かつ当該キーワードがユーザーの使用状況に応じて更新されるユーザーデータベースとを備え、
上記コンテンツ情報取得手段は、上記抽出手段によって抽出されたキーワードと、上記ユーザーデータベースに登録されている上記キーワードとの両方に基づいて、上記コンテンツ情報を取得することを特徴とするコンテンツ情報表示システム。
【請求項９】
請求項１から５のいずれか１項に記載のコンテンツ再生装置を動作させるプログラムであって、コンピュータを上記の各手段として機能させるためのコンテンツ再生プログラム。
【請求項１０】
請求項９に記載のプログラムを記録しているコンピュータ読み取り可能な記録媒体。
【発明の詳細な説明】
【技術分野】
【０００１】
本願発明は、ある動画コンテンツに関連する関連コンテンツの内容を示すコンテンツ情報を、自動的に表示装置に表示するコンテンツ再生装置、コンテンツ再生システム、コンテンツ再生方法、コンテンツ情報表示システム、コンテンツ再生プログラムおよび該プログラムを記録した記録媒体に関する。
【背景技術】
【０００２】
近年、ネットワーク通信の発達と共に、ビデオ・オン・デマンド（ＶＯＤ）と呼ばれる映像コンテンツの配信システムが発達している。ビデオ・オン・デマンドの最大の特徴は、ユーザーの見たい映像コンテンツをユーザーの見たいときに配信することができることである。例えば、ユーザーが映画を見たいと思ったとき、見たい映画のデータをネットワーク通信を介してダウンロードすることにより、ユーザーはレンタルビデオ店へと足を運ぶことなく、家に居ながらにして見たい映画を見ることができる。ビデオ・オン・デマンドのような映像コンテンツの配信システムは、番組をネットワーク通信を介して入手するため、パソコンによる視聴が一般的である。しかし、最近では、セットトップボックスなどの専用機器を用いることにより、一般的なテレビによる視聴も普及している。
【０００３】
ビデオ・オン・デマンドなどのようなネットワーク通信を介して映像コンテンツを入手するシステムでは、通常、番組を視聴するに際して、視聴したい番組を選択する必要がある。視聴したい番組を選択する方法としては、視聴を所望する番組に関連するキーワードを検索キーワードとして入力する方法が一般的である。
【０００４】
検索キーワードを入力する方法以外では、階層化された項目から順次項目を選択していく方法がある。このような方法の場合、例えば、まず「映画」、「音楽」、「スポーツ」、「ドラマ」、「アニメ」などの項目（ジャンル）が選択可能であり、「スポーツ」を選択した場合、次に「サッカー」、「野球」、「バスケットボール」などのより範囲の狭い項目が随時選択可能となる。このように、ユーザーが自身の興味のある項目を選択していくことにより、徐々に範囲を絞り込んでいく。また、ユーザーが頻繁にコンテンツを入手するジャンルを「お好みジャンル」として予め設定しておくことにより、初期段階の選択項目をある程度絞ることも可能である。
【０００５】
特許文献１には、テキストデータにおける単語出現頻度の高いキーワードを、インターネット上の情報検索の際に用いる検索ワードとしてリストアップするインターネット検索装置について記載されている。
【特許文献１】特開平１０−６９４９６号公報（平成１０年３月１０日公開）
【発明の開示】
【発明が解決しようとする課題】
【０００６】
上述したように、ビデオ・オン・デマンドなどにより動画コンテンツを入手するためには、視聴したい動画コンテンツを選択する際に、検索ワードを入力したり、視聴したい動画コンテンツに近い項目を逐一選択したりするなどの煩雑な処理を行わければならない。「お好みジャンル」を登録する場合であっても、ユーザーが頻繁に視聴するであろうジャンルを事前に登録する作業が必要となる。
【０００７】
さらに、検索ワードを入力する場合、キーボードなどの文字入力を実行するインターフェースを備えていない装置（例えば、テレビ）では、例えばリモコンなど、文字入力を実行するための機器以外の機器を用いて検索ワードを入力する必要があるため、その作業はより一層煩雑となる。
【０００８】
特許文献１に記載の装置を用いた場合には、検索キーワードの候補となるトレンドキーワードを自動で抽出するため、検索キーワードの入力作業をある程度軽減することができる。しかし、抽出したトレンドキーワードのうち、最終的に検索キーワードとして使用する単語は、ユーザーが選択しなければならず、検索キーワードとして設定する単語を完全に自動で設定することはできない。
【０００９】
また、特許文献１に記載の装置では、視聴しているコンテンツの内容に近いコンテンツが必ず提示されるわけではないという問題もある。例えば、ニュース番組のように１つの番組中に複数のトピック（話題）を含む番組では、字幕などのテキストデータにおいて、全体的には出現頻度の低い単語であっても、ある特定のトピックにおいては出現頻度が高いという場合が存在する。すなわち、１つの番組中に複数のトピックを含む番組では、トピックごとに出現頻度が高い単語が異なる。したがって、このような番組の場合、テキストデータ全体の出現頻度に応じて検索キーワードを設定する特許文献１に記載の装置では、出現頻度が高い単語以外は、従来と同様にユーザーが手動で入力しなければならない。
【００１０】
本発明は、上記課題に鑑みてなされたものであり、その主たる目的は、ある動画コンテンツに関連する関連コンテンツの内容を示すコンテンツ情報を、自動的に表示装置に表示するコンテンツ再生装置、コンテンツ再生システム、コンテンツ再生方法、コンテンツ再生プログラムおよび該プログラムを記録した記録媒体を提供することである。また、受信した検索キーワードを含むデータに基づいて関連コンテンツを抽出し、当該関連コンテンツのコンテンツ情報を作成するコンテンツサーバ装置、およびコンテンツ再生装置とコンテンツサーバ装置とを備えたコンテンツ情報表示システムについても併せて提供する。
【課題を解決するための手段】
【００１１】
（コンテンツ再生装置）
本発明に係るコンテンツ再生装置は、上記課題を解決するために、
文字情報と、映像とが再生時刻を介して互いに関連付けられた文字情報付コンテンツを再生することによって、少なくとも当該映像を表示装置に表示するコンテンツ再生装置であって、
上記文字情報から所定のキーワードを抽出する抽出手段と、
少なくとも上記抽出されたキーワードに基づいて、上記文字情報付コンテンツに関連する関連コンテンツの内容を表すコンテンツ情報を取得するコンテンツ情報取得手段と、
上記コンテンツ情報を上記表示装置に表示する表示手段と、を備えていることを特徴としている。
【００１２】
本発明に係るコンテンツ再生装置は、ある文字情報付コンテンツの文字情報から抽出された所定のキーワードに基いて、その文字情報付コンテンツに関連する関連コンテンツの内容を表すコンテンツ情報を自動的に取得し、表示する。
【００１３】
これによって、コンテンツ再生装置は、ユーザーに煩雑な作業を強いることなく、関連コンテンツのコンテンツ情報を提示することができる効果を奏する。すなわち、ユーザーは、関連コンテンツのコンテンツ情報を得るための検索キーワードを一切入力することなく、コンテンツ情報を閲覧することができる効果を奏する。
【００１４】
（コンテンツ再生システム）
本発明に係るコンテンツ再生システムは、上記課題を解決するために、
文字情報と、映像とが再生時刻を介して互いに関連付けられた文字情報付コンテンツを再生することにより、少なくとも映像を表示する映像表示ユニットと、少なくとも上記文字情報付コンテンツに関連する関連コンテンツの内容を表すコンテンツ情報を表示装置に表示する情報表示ユニットと、を備えたコンテンツ再生装置であって、
上記映像表示ユニットおよび上記情報表示ユニットの少なくともいずれかが、上記文字情報から所定のキーワードを抽出する抽出手段と、
少なくとも上記抽出されたキーワードに基づいて、上記コンテンツ情報を取得するコンテンツ情報取得手段と、を備えていることを特徴としている。
【００１５】
上記の構成によれば、本発明に係るコンテンツ再生装置と同様の作用効果を奏する。
【００１６】
（コンテンツ再生方法）
本発明に係るコンテンツ情報表示方法は、上記課題を解決するために、
文字情報と、映像とが再生時刻を介して互いに関連付けられた文字情報付コンテンツを再生することによって、少なくとも当該映像を表示装置に表示するコンテンツ再生方法であって、
上記文字情報から所定のキーワードを抽出する抽出手ステップと、
少なくとも上記抽出されたキーワードに基づいて、上記コンテンツに関連する関連コンテンツの内容を表すコンテンツ情報を取得するコンテンツ情報取得ステップと、
上記コンテンツ情報を上記表示装置に表示する表示ステップと、を含むことを特徴としている。
【００１７】
上記の構成によれば、本発明に係るコンテンツ再生装置と同様の作用効果を奏する。
【００１８】
（話題ごとコンテンツ情報を取得）
本発明に係るコンテンツ再生装置は、さらに、上記文字情報付コンテンツは、上記キーワードを少なくとも１つ有する、複数の話題に区切られており、上記コンテンツ情報取得手段は、上記話題ごとに、上記コンテンツ情報を取得することが好ましい。
【００１９】
上記の構成によれば、コンテンツ再生装置は、話題ごとにコンテンツ情報を取得することができる。したがって、本発明に係るコンテンツ再生装置は、コンテンツ単位ではなく、コンテンツに含まれる話題単位でコンテンツ情報を提示することができる。
【００２０】
これによって、例えば、ニュース番組などのように１つの番組中に複数の話題を有するようなコンテンツを再生する場合であっても、再生する各話題に近い関連コンテンツのコンテンツ情報をユーザーに提示することができる効果を奏する。
【００２１】
（ユーザーデータベースを備える）
本発明に係るコンテンツ再生装置は、さらに、少なくとも１つのキーワードが登録されており、かつ当該キーワードがユーザーの使用状況に応じて更新されるユーザーデータベースをさらに備えており、上記コンテンツ情報取得手段は、上記ユーザーデータベースに登録されている上記キーワードにさらに基づいて、上記コンテンツ情報を取得することが好ましい。
【００２２】
上記の構成によれば、文字情報付コンテンツから得られたキーワードに加えて、ユーザーデータベースに登録されているキーワードを用いてコンテンツ情報を取得することができる。これによって、コンテンツ再生装置は、より一層ユーザーの興味に即した関連コンテンツに対応するコンテンツ情報を提示することができる効果を奏する。
【００２３】
（重み付けパラメータを考慮）
本発明に係るコンテンツ再生装置は、さらに、上記コンテンツ情報取得手段は、上記キーワードの重み付けを示すパラメータにさらに基いて、コンテンツ情報を取得することが好ましい。
【００２４】
上記の構成によれば、文字情報付コンテンツにおいて重きをおくキーワードが、取得するコンテンツ情報に反映されやすくなる。これによって、文字情報付コンテンツにより一層関連の深いコンテンツのコンテンツ情報を提示することができるという効果を奏する。
【００２５】
（コンテンツ識別情報を抽出）
本発明に係るコンテンツ再生装置は、さらに、上記抽出手段は、上記文字情報付コンテンツを識別するコンテンツ識別情報をさらに抽出することが好ましい。
【００２６】
上記の構成によれば、文字情報付コンテンツごとに特有のコンテンツ識別情報を抽出することによって、キーワードがどの文字情報付コンテンツから抽出されたのかを特定することができる効果を奏する。
【００２７】
これによって、例えば、コンテンツ再生装置が外部のサーバ装置などに接続されている場合、キーワードとコンテンツ識別情報とをサーバ装置へ送信することにより、文字情報付コンテンツがユーザーにどの程度視聴されているのかを調査することができる。
【００２８】
（コンテンツ情報から関連コンテンツを取得可能）
本発明に係るコンテンツ再生装置は、さらに、上記コンテンツ情報のいずれかをユーザーによる操作に基いて選択するコンテンツ情報選択手段と、選択された上記コンテンツ情報に対応する関連コンテンツを取得する関連コンテンツ取得手段と、を備えていることが好ましい。
【００２９】
上記の構成によれば、ユーザーは、コンテンツ情報を選択することにより、選択したコンテンツ情報に対応する関連コンテンツを取得することができる。これによって、ユーザーは、煩雑な作業を行うことなく、文字情報付コンテンツに関連する関連コンテンツを取得することができる効果を奏する。
【００３０】
（コンテンツサーバ装置）
本発明に係るコンテンツサーバ装置は、上記課題を解決するために、
文字情報と、映像とが再生時刻を介して互いに関連付けられている文字情報付コンテンツを蓄積するコンテンツ蓄積部と、
クライアント端末から受信した少なくともキーワードに基いて上記コンテンツ蓄積部より抽出された上記文字情報付コンテンツから、当該文字情報付コンテンツの内容を示すコンテンツ情報を作成するコンテンツ情報作成手段と、
を備えていることを特徴としている。
【００３１】
上記の構成によれば、コンテンツ蓄積部から抽出した関連コンテンツからコンテンツ情報を作成する。これによって、コンテンツサーバ装置に接続されるクライアント端末が、本発明に係るコンテンツ再生装置と同様の機能を有する装置であれば、クライアント端末は、本発明に係るコンテンツ再生装置と同様の作用効果を奏する。
【００３２】
（話題ごとコンテンツ情報を作成）
本発明に係るコンテンツサーバ装置は、さらに、上記文字情報付コンテンツは、所定のキーワードを少なくとも１つ有する、複数の話題に区切られており、上記コンテンツ情報作成手段は、上記話題ごとに上記コンテンツ情報を作成することが好ましい。
【００３３】
上記の構成によれば、コンテンツサーバ装置は、話題ごとコンテンツ情報を作成することができる。したがって、コンテンツ情報を表示するクライアント端末では、コンテンツ単位ではなく、コンテンツの話題単位でコンテンツ情報を表示することができる。これによって、例えば、ニュース番組などのように１つの番組中に複数の話題を有するようなコンテンツが抽出される場合であっても、被関連コンテンツに関連する部分のみを関連コンテンツとして抽出し、そのコンテンツ情報をユーザーに提示することができる効果を奏する。
【００３４】
（ユーザーデータベースを備える）
本発明に係るコンテンツサーバ装置は、さらに、少なくとも１つのキーワードが登録されており、かつ当該キーワードがユーザーの使用状況に応じて更新されるユーザーデータベースをさらに備えており、上記コンテンツ情報作成手段は、上記ユーザーデータベースに登録されている上記キーワードにさらに基づいて抽出された上記文字情報付コンテンツから、上記コンテンツ情報を作成することが好ましい。
【００３５】
上記の構成によれば、関連コンテンツの抽出は、クライアント端末から受信したキーワードに加えて、ユーザーデータベースに登録されているキーワードを用いてコンテンツ情報を取得することができる。これによって、コンテンツ再生装置は、より一層ユーザーの興味に即した関連コンテンツに対応するコンテンツ情報を提示することができる効果を奏する。
【００３６】
（コンテンツ情報表示システム）
本発明に係るコンテンツ情報表示システムは、上記課題を解決するために、
文字情報と、映像とが再生時刻を介して互いに関連付けられた文字情報付コンテンツを再生することによって、少なくとも当該映像を表示装置に表示するコンテンツ再生装置と、当該コンテンツ再生装置が少なくとも１つ接続されたコンテンツサーバ装置と、を備えたコンテンツ情報表示システムであって、
上記コンテンツ再生装置は、
上記文字情報から所定のキーワードを抽出する抽出手段と、
少なくとも上記抽出されたキーワードに基づいて、上記コンテンツに関連する関連コンテンツの内容を表すコンテンツ情報を、上記コンテンツサーバ装置から取得するコンテンツ情報取得手段と、
上記コンテンツ情報を上記表示装置に表示する表示手段と、を備えており、
上記コンテンツサーバ装置は、
上記文字情報付コンテンツを蓄積するコンテンツ蓄積部と、
少なくとも上記キーワードを上記コンテンツ再生装置から受信する受信手段と、
少なくとも上記キーワードに基いて上記コンテンツ蓄積部より抽出された上記関連コンテンツから、上記コンテンツ情報を作成するコンテンツ情報作成手段と、
上記コンテンツ情報を上記コンテンツ再生装置へ送信する送信手段と、
を備えていることを特徴としている。
【００３７】
上記の構成によれば、本発明に係るコンテンツ再生装置と同様の作用効果を奏する。
【００３８】
（プログラムおよび記録媒体）
なお、上記コンテンツ再生装置は、コンピュータによって実現してもよい。この場合、コンピュータを上記各手段として動作させることにより上記コンテンツ再生装置をコンピュータにおいて実現するコンテンツ再生プログラム、およびそのコンテンツ再生プログラムを記録したコンピュータ読み取り可能な記録媒体も、本発明の範疇に含まれる。
【発明の効果】
【００３９】
本発明に係るコンテンツ再生装置は、ある文字情報付コンテンツの文字情報から抽出された所定のキーワードに基いて、その文字情報付コンテンツに関連する関連コンテンツの内容を表すコンテンツ情報を自動的に取得し、表示する。
【００４０】
これによって、関連コンテンツのコンテンツ情報を得る際のキーワード選択作業、または文字入力作業などの煩雑な作業を一切不要にすることができる効果を奏する。
【発明を実施するための最良の形態】
【００４１】
〔実施形態１〕
本発明に係るコンテンツ再生装置の一実施形態について、図１〜７を参照して以下に説明する。なお、本実施形態では、付加情報が、複数の文字情報からなる字幕である場合を例に挙げて説明する。
【００４２】
（字幕付コンテンツ）
本実施形態を説明するに先立って、まず、字幕付コンテンツ（文字情報付コンテンツ）の詳細について以下に説明する。
【００４３】
字幕付コンテンツは、字幕（文字情報）と映像とが再生時刻を介して互いに関連付けられている構造を有する動画コンテンツである。すなわち、字幕付コンテンツは、複数の字幕と、動画を構成する複数の映像とを含んでいる。そして、各映像のうち少なくとも一部には、その再生時刻を介して、字幕が関連付けられている。
【００４４】
言い換えれば、全ての映像に字幕が関連付けられていなくでもよく、動画コンテンツ内には字幕のない映像が存在していてもよい。したがって、通常は、ある特定の映像に対して字幕が関連付けられているのみであり、字幕付コンテンツ内において、字幕がまったく関連付けられていない映像が一定時間連続する箇所も多くある。そのため、字幕付コンテンツ内の字幕を続けて再生する場合、字幕が無い映像は表示しないことになる。
【００４５】
これにより、視聴するユーザは、連続的に表示される字幕を読み進めることによって、字幕付コンテンツの内容を把握しつつ、字幕の無い部分の映像は視聴せずに済む。すなわち、ユーザーは、字幕付コンテンツの映像の一部だけを視聴するのみで、字幕付コンテンツの内容を把握することができる。また、表示されている字幕を読み、気になった部分の映像や音声を再生させることによって、動画コンテンツのうちユーザにとって重要な部分だけを抽出して視聴することもできる。
【００４６】
（コンテンツ再生装置）
本発明に係るコンテンツ再生装置は、字幕付コンテンツの映像を表示すると共に、再生する字幕付コンテンツに関連する関連コンテンツの内容を示すコンテンツ情報をユーザーに提示する装置である。本発明に係るコンテンツ再生装置の詳細について、以下に説明する。
【００４７】
（コンテンツ再生装置１の構成）
本実施形態に係るコンテンツ再生装置１の構成について、図１を参照しつつ以下に説明する。図１は、コンテンツ再生装置１の要部構成を示すブロック図である。
【００４８】
コンテンツ再生装置１は、図１に示すように、コンテンツ取得部２、コンテンツデータベース３、検索キーワードデータ作成部（抽出手段）４、再生制御部５、コンテンツ情報取得部６、コンテンツ情報表示部（表示手段）７、および表示装置８を備えている。これらの各部材の機能について、以下に説明する。
【００４９】
（コンテンツ取得部２、コンテンツデータベース３）
コンテンツ取得部２は、外部から、字幕付コンテンツを取得する。コンテンツ取得部２としては、例えば、デジタル放送を受信するためのアンテナ、ネットワーク通信手段、ＳＤカードおよび光ディスクなどの記録媒体から動画コンテンツを取得する読取手段などを挙げることができる。
【００５０】
コンテンツ取得部２により取得される字幕付コンテンツは、ストリーミングにより再生されるものであってもよいし、ダウンロードされた後に再生されるものであってもよい。また、コンテンツ取得部２により取得される字幕付コンテンツがダウンロードされた後に再生される場合、ダウンロードされた字幕付コンテンツは、コンテンツデータベース３に保存されるようにしてもよいし、コンテンツデータベース３などの記録媒体に一時的に保存され、再生が終了した後に消去されるようにしてもよい。
【００５１】
コンテンツデータベース３は、コンテンツ取得部２において取得された字幕付コンテンツを記録（録画、保存）する記録媒体である。
【００５２】
（検索キーワードデータ作成部４）
検索キーワードデータ作成部４は、字幕を構成する文字情報に含まれるキーワードを少なくとも含む検索キーワードデータを作成する。作成した検索キーワードデータは、関連コンテンツを検索するために用いられる。検索キーワードデータ作成部４の詳細については下記に詳述する。
【００５３】
（再生制御部５）
再生制御部５は、字幕付コンテンツの再生を制御する。再生制御部５は、図１に示すように、字幕表示部９および映像表示部１０を備えている。再生制御部５では、字幕表示部９が字幕を表示装置８に表示し、映像表示部１０が、字幕と共に映像を表示装置８に表示する。字幕付コンテンツの再生（表示）の詳細については下記に詳述する。
【００５４】
（コンテンツ情報取得部６）
コンテンツ情報取得部６は、検索キーワードデータ作成部４において作成した検索キーワードデータを、検索エンジン（図示しない）に出力する。また、コンテンツ情報取得部６は、検索エンジンにおいて抽出された関連コンテンツの内容を示すコンテンツ情報を、関連コンテンツの保存されている位置を識別する位置識別情報（以下、アドレスと称する）と関連付けて取得する。
【００５５】
（コンテンツ情報表示部７）
コンテンツ情報表示部７は、取得したコンテンツ情報を、関連コンテンツの保存されているアドレスに関連付けて表示装置８に表示する。表示するコンテンツ情報の詳細については、下記に詳述する。
【００５６】
（コンテンツ再生装置１の動作）
コンテンツ再生装置１の動作の一例について、図２を参照して以下に説明する。図２は、コンテンツ再生装置１におけるコンテンツ情報の表示までの動作の一例を示すフローチャートである。
【００５７】
図２に示すように、ユーザーは、コンテンツ取得部２において取得した字幕付コンテンツまたはコンテンツデータベース３に保存（記録、録画）されている字幕付コンテンツから、コンテンツ再生装置１において再生する字幕付コンテンツを選択する（ステップＳ１）。再生する字幕付コンテンツが選択されると、検索キーワードデータ作成部４は、再生する字幕付コンテンツから字幕（文字情報）を抽出する（ステップＳ２）。そして、検索キーワードデータ作成部４は、抽出した字幕を構成する文字列から、キーワードを含むキーワードデータを取得し、取得したキーワードデータを検索キーワードデータとしてコンテンツ情報取得部６へ出力する（ステップＳ３）。すなわち、検索キーワードデータ作成部４は、抽出した字幕に基づいて、検索キーワードを作成する。コンテンツ取得部６は、入力された検索キーワードデータを、ネットワーク通信を介して、サーバ装置に備えられている検索エンジンへ送信する（ステップＳ４）。
【００５８】
コンテンツ取得部６は、検索キーワードデータをサーバ装置へ送信すると共に、再生制御部２は、字幕付コンテンツの再生を開始する（ステップＳ５）。具体的には、字幕表示部９が、複数の字幕を動画コンテンツ内の先頭（再生開始時刻）から順次、画面上に並べてスクロール表示する。その一方で、映像表示部１０が、表示対象の字幕に関連付けられている映像を、字幕表示部９による字幕の表示タイミングに同期させて表示装置１１に表示する。
【００５９】
続いて、コンテンツ取得部６は、送信した検索キーワードデータに基づいて抽出された関連コンテンツのコンテンツ情報、およびコンテンツ情報に関連付けられた関連コンテンツの保存先を示すアドレスを受信する（ステップＳ６）。コンテンツ取得部６は、受信したコンテンツ情報およびアドレスをコンテンツ情報表示部７へ出力する。コンテンツ情報表示部７は、関連コンテンツの保存先を示すアドレスに関連付けられたコンテンツ情報を表示装置８に表示する（ステップＳ７）。
【００６０】
なお、上述したコンテンツ再生装置１の動作例では、検索キーワードデータをネットワーク通信を介してサーバ装置へ送信する場合について説明したが、これに限定されるものではない。例えば、コンテンツ再生装置１がコンテンツデータベース３を検索できる検索エンジンを備えている場合には、コンテンツデータベース３から関連コンテンツを抽出するようにしてもよい。
【００６１】
また、上述した動作例では、コンテンツ情報の表示前に字幕付コンテンツの再生を開始する場合について説明しているが、これに限定されるものではない。字幕付コンテンツは、コンテンツ情報の表示後に再生するようにしてもよい。また、字幕付コンテンツの再生が終了した後にコンテンツ情報を表示するようにしてもよい。もちろん、コンテンツ情報の表示と字幕付コンテンツの再生開始とが同時であってもよい。
【００６２】
（表示装置８におけるコンテンツ情報の表示）
次に、コンテンツ再生装置１の表示装置８におけるコンテンツ情報の表示について、図３を参照して以下に説明する。図３は、コンテンツ再生装置１における表示装置８でのコンテンツ情報の表示の一例を概略的に示す図である。
【００６３】
図３に示すように、表示装置８では、仮想的に分割した領域の一つである表示領域２０において字幕付コンテンツの映像３０を表示し、表示領域２１においてコンテンツ情報３１を表示する。そして、表示領域２０の右側に位置する表示領域２２において字幕３２を表示し、表示領域２０の上部に位置する表示領域２３において話題キーワード３３を表示する。以下に各表示領域に表示される情報について、より具体的に説明する。
【００６４】
（コンテンツ情報３１）
表示領域２１には、再生中の字幕付コンテンツの関連コンテンツのコンテンツ情報３１として、「ニュースＸ：バイオ燃料を探る」および「特集：バイオ燃料ウソホント」という文字情報が表示される。
【００６５】
このとき、表示領域２１において表示されるコンテンツ情報３１は、関連コンテンツの保存先を示すアドレスに関連付けて表示されている。すなわち、コンテンツ情報３１は、ハイパーリンクにより表示されている。したがって、ユーザーは、コンテンツ情報３１として表示されている文字列を選択することによって、選択したコンテンツ情報に対応する関連コンテンツを自動的に取得することができる。すなわち、例えば、映像３０を含む字幕付コンテンツを視聴しているユーザーが、「ニュースＸ：バイオ燃料を探る」について興味をもった場合、「ニュースＸ：バイオ燃料を探る」の文字列を選択することにより、「ニュースＸ：バイオ燃料を探る」を関連コンテンツとして取得することができる。このとき、コンテンツ再生装置１は、「ニュースＸ：バイオ燃料を探る」に関連付けられているアドレスを参照して、そのアドレスに保存されている関連コンテンツを自動的に取得する。
【００６６】
なお、関連コンテンツの選択は、リモコンなどによりユーザーが操作するポインタにより、文字列を選択してもよいし、表示装置８がタッチパネル機能を有している場合には、ユーザーがタッチペンなどを用いて、取得を所望する関連コンテンツに対応する文字列を選択するようにしてもよい。
【００６７】
また、コンテンツ情報３１のフォーマットは、特に限定されるものではない。コンテンツ情報３１のフォーマットとしては、例えばＲＳＳ（RDF Site Summary、Really Simple Syndication）などを用いることができる。
【００６８】
図３では、コンテンツ情報を２つ表示する場合について図示しているが、もちろんこれに限定されるものではなく、３つ以上のコンテンツ情報が表示されてもよいし、１つのコンテンツ情報が表示されてもよい。しかし、一覧として表示するコンテンツ情報の数があまりにも多い場合、ユーザーがコンテンツ情報の確認を面倒に感じるおそれがある。また、再生している字幕付コンテンツを遮ることにより、字幕付コンテンツの快適な視聴を妨げるおそれがある。したがって、一覧として表示されるコンテンツ情報の数は、ユーザーの快適な視聴を妨げない程度に適宜調節されることが好ましい。また、文字のフォントサイズなども表示装置８の画面サイズなどに応じて適宜設定されることが好ましい。もちろん、表示されるコンテンツ情報の数および文字のフォントサイズは、自動的に設定されてもよいし、ユーザーにより任意の数および大きさに設定されてもよい。
【００６９】
（映像３０および字幕３２）
表示領域２２において再生される字幕３２は、表示装置８において、矢印３４に示す方向にスクロール表示されることが好ましい。表示装置８における映像３０と字幕３２との表示についてより具体的に説明すると、字幕表示部９は、複数の字幕を動画コンテンツ内の先頭（再生開始時刻）から順次、画面上に並べてスクロール表示する。その一方で、映像表示部１０は、表示対象の字幕３２ａに関連付けられている映像３０を、字幕表示部９による字幕３２ａの表示タイミングに同期させて表示装置８に表示する。
【００７０】
これによって、ユーザーは、字幕付コンテンツにおける字幕を視覚的に捉えつつ、動画コンテンツを視聴することができる。すなわち、動画コンテンツを字幕ベースで視聴することができる。なお、字幕３２のスクロール方向は、矢印３４の方向に限定されるものではなく、逆方向（画面の上方向から下方向へ）にスクロールしてもよい。表示領域２３において表示される話題キーワード３３の詳細については、下記に詳述する。また、表示領域２２に表示される字幕３２および表示領域２３に表示される話題キーワード３３は、必ずしも表示される必要はない。例えば、再生する字幕付コンテンツをより大きい画面で視聴したい場合には、字幕３２および話題キーワード３３の表示をＯＦＦにすることができる。
【００７１】
また、図３では、表示領域２１が表示領域２０の下部である場合について例示しているが、これに限定されるものではない。表示領域２１は、表示領域２０の上部であってもよいし、右部または左部であってもよい。すなわち、コンテンツ情報３１は、表示装置８のいずれの箇所に表示されてもよい。もちろん、その他の表示領域についても、表示領域２１と同様である。なお、各表示領域は、本発明の理解を容易とするために便宜上設けたものであり、表示装置８が実際に分割されているわけではない。
【００７２】
（コンテンツ情報３１の詳細）
図３では、コンテンツ情報３１として、関連コンテンツのタイトルを表示する場合を例に挙げて図示しているが、これに限定されるものではない。例えば、関連コンテンツのタイトル以外にも、検索キーワードデータにおけるキーワードを含む文字列を表示するようにしてもよいし、検索キーワードデータのうち、関連コンテンツを抽出する際にヒットしたキーワードを表示するようにしてもよい。また、関連コンテンツの有する字幕の先頭部分（すなわち、字幕において、最初の映像と関連つけられた部分）を一部または全部表示するようにしてもよい。
【００７３】
コンテンツ情報３１は、文字列に限定されるものではなく、文字列以外を表示してもよい。例えば、文字列と併せて例えば関連コンテンツのジャンル（カテゴリ）を示すアイコンを表示するようにしてもよいし、また文字列と併せて関連コンテンツのサムネイルを表示するようにしてもよい。もちろん、文字列を表示することなく、アイコンまたはサムネイルのみを表示してもよい。表示されるアイコンおよびサムネイルは、文字列と同様に、関連コンテンツの保存されているアドレスに関連付けられて表示されていることが好ましい。
【００７４】
また、コンテンツ情報３１は、字幕３２中に表示するようにしてもよい。具体的には、字幕３２において「バイオエタノール」がキーワードである場合、「次のニュースはトウモロコシなどの植物から作る「バイオエタノール（関連コンテンツ：ニュースＸ：バイオ燃料を探る、特集：バイオ燃料ウソホント）」に・・・」と表示するようにしてもよい。このように、字幕３２とコンテンツ情報３１とを組み合わせた形態で表示する場合には、コンテンツ情報３１は、選択されることにより関連コンテンツを取得できるように、すなわち、関連コンテンツの保存されているアドレスに関連つけられて表示されることが好ましい。
【００７５】
このように、コンテンツ情報の表示形態は特に限定されるものではないが、ユーザーが対応する関連コンテンツの内容を理解できるように表示されていることが好ましい。コンテンツ情報を関連コンテンツの内容を理解できるように表示することによって、ユーザーは、関連コンテンツの内容を確認した後に、その関連コンテンツを視聴するか否かを判断することができる。
【００７６】
（検索キーワードデータの作成方法の詳細）
続いて、検索キーワードデータ作成部４における検索キーワードデータの作成方法の詳細について説明する。検索キーワードデータ作成部４は、図４に示すように、キーワード抽出部４１、話題作成部４２、話題データベース４３、検索キーワード取得部４４、およびユーザーデータベース４５を備えている。図４は、検索キーワードデータ作成部４の構成を示すブロック図である。各部材の機能については、検索キーワードデータの作成方法と並行して以下に説明する。
【００７７】
（キーワードリストの作成）
検索キーワードデータ作成部４は、検索キーワードデータを作成するにおいて、まずキーワードリストを作成する。以下に、キーワードリストの具体的な作成方法について説明する。
【００７８】
キーワード抽出部４１は、検索キーワードデータを作成する対象となる字幕付コンテンツから字幕を抽出する。抽出された字幕に含まれる各再生時刻には、それぞれ対応する映像が関連付けられている。このとき、字幕を構成する文字列には、複数のキーワードが含まれている。
【００７９】
そこで、キーワード抽出部４１は、文字列からキーワードを抽出する。このとき、抽出したキーワードが含まれる文字列の再生時刻を、キーワードの出現時刻として抽出し、抽出したキーワードと出現時刻とを、キーワードごとに互いに関連付けることによって、所定のキーワードリストを生成する。キーワード抽出手段４１は、生成したキーワードリストを、話題作成部４２に出力する。
【００８０】
なお、抽出されるべきキーワードは、字幕付コンテンツの製作者により予め設定されている。抽出されるべきキーワードは、文字列において、例えば、太字（ボールド）とする、または特殊な記号（スペース、括弧など）で囲うなどの装飾を施されていることが好ましい。
【００８１】
（話題番号付字幕の作成）
次に、検索キーワードデータ作成部４は、作成したキーワードリストに基づいて、話題番号付き字幕を作成する。以下に話題番号付き字幕の具体的な作成方法について説明する。
【００８２】
話題作成部４２は、入力されたキーワードリストを用いて、字幕付コンテンツから話題を抽出する。このとき、字幕付コンテンツにおいて、キーワードの出現頻度が高い時間区画を１つの話題として抽出する。これは、字幕付コンテンツにおいて、異なる話題ではキーワードも互いに異なる傾向が強いことを利用しての処理である。
【００８３】
話題作成部４２は、字幕付コンテンツに含まれる複数の再生時刻のうち、時間区画のキーワードごとの重なり数が、あらかじめ定められている基準数（例えば１つ）を下回る再生時刻を、話題区切りとして複数算出する。さらに話題作成部４２は、字幕付コンテンツにおける、隣接する２つ話題区切り間の部分を、字幕付コンテンツに含まれる話題として抽出する。このとき、話題作成部４２は、抽出した話題ごとに話題番号を付け、話題番号と、再生時刻と、文字列とを関連付けた話題番号付字幕として話題データベース４３に保存する。
【００８４】
なお、話題番号付き字幕は、字幕付コンテンツの取得時に作成されてもよいし、また字幕付コンテンツの再生と共に作成されるようにしてもよい。また、話題番号付き字幕が既に作成されている字幕付コンテンツの場合には、話題データベース４３から以前に作成した話題番号付字幕を読み出すようにしてもよい。
【００８５】
（検索キーワードデータの設定）
検索キーワードデータ設定部４４は、話題データベース４３に保存されている話題番号付字幕に基づいて、検索キーワードデータを設定する。より具体的には、現在再生している話題の話題番号と同じ話題番号の話題に含まれるキーワードデータを検索キーワードデータとして設定する。検索キーワードデータ設定部４４は、設定した検索キーワードデータを、コンテンツ情報取得部６へ出力する。
【００８６】
このとき、検索キーワードデータは話題ごとに作成されることになるため、再生されている字幕付コンテンツの話題が変更されると、検索キーワードデータも自動的に変更されることになる。これによって、字幕付コンテンツが複数の話題を含むような場合であっても、現在再生している話題に含まれるキーワードを検索キーワードデータとして設定することができる。そのため、字幕付コンテンツが複数の話題を含むような場合であっても、再生している話題ごとに、それぞれの話題と関連性を有する関連コンテンツを抽出することができる。
【００８７】
（話題キーワード３３）
図３に示す表示領域２３に表示される話題キーワード３３は、各話題に含まれるキーワードである。すなわち、話題キーワード３３は、関連コンテンツを検索するためにサーバ装置に送信される検索キーワードデータに含まれるキーワードに一致する。
【００８８】
このように、表示領域２３において話題キーワード３３を表示することにより、ユーザーは、現在再生している字幕付コンテンツの関連コンテンツが、どのようなキーワードから導かれたのかを認識することができる。
【００８９】
（コンテンツ情報を選択した後のコンテンツ再生装置１の動作）
コンテンツ情報を選択した後のコンテンツ再生装置１の動作の一例について、図５を参照して以下に説明する。図５は、コンテンツ再生装置１における関連コンテンツの取得および再生動作を示すフローチャートである。
【００９０】
図５に示すように、コンテンツ情報選択部（図示しない）が、ユーザー操作に基いて、いずれかのコンテンツ情報を選択すると（ステップＳ１０においてＹｅｓ）、関連コンテンツ取得部（図示しない）は、サーバ装置に対して、コンテンツ情報に関連付けられているアドレスに保存されている関連コンテンツの取得を要求する（ステップＳ１１）。すなわち、関連コンテンツ取得部は、コンテンツ情報に関連付けられているアドレスを参照して、そのアドレスに保存されている関連コンテンツを取得しようとする。
【００９１】
サーバ装置は、コンテンツ再生装置１からの関連コンテンツの取得要求を受けて、コンテンツ再生装置１からの要求のあったアドレスに保存されている関連コンテンツを抽出し、コンテンツ再生装置１へと送信する。
【００９２】
コンテンツ再生装置１における関連コンテンツ取得部は、関連コンテンツを受信すると（ステップＳ１２）、受信した関連コンテンツを再生制御部５へ出力する。そして、再生制御部５は、入力された関連コンテンツの再生を開始する（ステップＳ１３）。なお、コンテンツ情報が選択されることなく、再生している字幕付コンテンツの話題が終了した場合には、次の話題に含まれるキーワードが検索キーワードデータとして設定される。そして、新たな検索キーワードデータに基づいて抽出された関連コンテンツのコンテンツ情報が、表示装置８に新たに表示される。
【００９３】
なお、関連コンテンツは、例えばＲＴＳＰなどのプロトコルを用いて、ストリーミングにより再生してもよいし、例えばＦＴＰなどのプロトコルを用いて、コンテンツ再生装置１の記録部材にダウンロードされた後に再生するようにしてもよい。
【００９４】
また、関連コンテンツを再生する間は、当初視聴していた字幕付コンテンツを一時停止状態にしておくことが好ましい。さらに、字幕付コンテンツと同様に、関連コンテンツが話題を有する場合には、関連コンテンツを話題ごとに取得してもよい。この場合には、取得した関連コンテンツの話題の再生が終了するとともに、当初視聴していた字幕付コンテンツの再生を再開する。
【００９５】
さらに、コンテンツ再生装置１が、複数の再生制御部を備えている場合には、当初視聴していた字幕付コンテンツを視聴しつつ、関連コンテンツを再生するようにしてもよい。このとき、関連コンテンツが字幕付コンテンツである場合には、関連コンテンツは音声を出力することなく再生することが好ましい。この場合、ユーザーは、字幕と映像とから関連コンテンツの内容を把握することになる。
【００９６】
（コンテンツ再生装置１の利点）
以上のように、コンテンツ再生装置１は、ある字幕付コンテンツに関連する関連コンテンツの検索に用いる検索キーワードデータを自動的に作成すると共に、その検索キーワードデータに基づいて抽出された関連コンテンツのコンテンツ情報を自動的に取得し、表示する。これによって、ユーザーは、関連コンテンツのコンテンツ情報を得るための検索キーワードデータの入力を一切行う必要がない。すなわち、コンテンツ再生装置１は、ユーザーに煩雑な作業を強いることなく、関連コンテンツのコンテンツ情報を提示することができる。
【００９７】
また、コンテンツ再生装置１は、字幕付コンテンツの再生される話題ごとに検索キーワードを設定することができる。すなわち、コンテンツ再生装置１は、話題ごとにコンテンツ情報を取得することができる。したがって、コンテンツ情報を、コンテンツ単位ではなく、コンテンツに含まれる話題単位で取得し、表示することができる。これによって、例えば、ニュース番組などのように１つの番組中に複数の話題を有するようなコンテンツであっても、それぞれの話題に近い関連コンテンツのコンテンツ情報を、ユーザーに提示することができる。
【００９８】
また、コンテンツ再生装置１は、ユーザーは、興味を持ったコンテンツ情報を選択することにより、そのコンテンツ情報に対応する関連コンテンツを取得することができる。すなわち、ユーザーは、煩雑な作業を行うことなく、字幕付コンテンツに関連する関連コンテンツを容易に取得することができる。
【００９９】
（ユーザーデータベース４５）
検索キーワードデータ作成部４は、図４に示すように、ユーザーデータベース４５を備えていてもよい。検索キーワードデータ作成部４がユーザーデータベース４５を備えている場合には、検索キーワードデータ作成部４は、ユーザーデータベース４５に登録されているキーワードデータを用いた検索キーワードデータをさらに作成する。すなわち、字幕付コンテンツから得られたキーワードに加えて、ユーザーデータベースに登録されているキーワードを用いてコンテンツ情報を取得することができるため、より一層ユーザーの興味に即したコンテンツ情報を提示することができる。ユーザーデータベース４５の詳細について、以下に説明する。
【０１００】
ユーザーデータベース４５は、キーワードデータが登録データとして登録されているデータベースであり、登録されているキーワードデータが、ユーザーの過去の使用状況に応じて更新される。これによって、コンテンツ再生装置１を使用すればするほど、検索キーワードデータ設定部４４は、ユーザーの興味のあるジャンル（項目）をより抽出（ヒット）しやすい検索キーワードデータを、検索キーワードデータとして設定することができるようになる。
【０１０１】
ユーザーデータベース４５に登録されているキーワードデータは、ユーザー自身が登録する必要はない。関連コンテンツを取得すると、その関連コンテンツに含まれるキーワードデータがユーザーデータベース４５に自動的に登録される。また、ユーザーデータベース４５に登録されるキーワードの数を設定することにより、ユーザーデータベース４５内のキーワードが増えすぎることを抑制することができる。ユーザーデータベース４５内のキーワードの数の制御としては、例えば古いものから順に消去するような制御方法を挙げることができる。
【０１０２】
このように、ユーザーデータベース４５におけるデータの構築は、ユーザー自身の作業を必要としないが、もちろんユーザー自身により登録されているデータを更新できてもよい。例えば、コンテンツ再生装置１が未使用である場合には、ユーザーデータベース４５には何も登録されていないため、ユーザーが自身の好みに応じてキーワードデータを登録してもよい。また、例えばシリーズもののコンテンツが終了したときに、そのシリーズに関するキーワードをユーザーが手動で消去することによりユーザーデータベース４５を更新できるようにしてもよい。
【０１０３】
（検索キーワードデータ作成部４の変形例）
検索キーワードデータ作成部４の変形例について、以下に説明する。具体的には、上記では、検索キーワードデータとして文字列から抽出したキーワードのみを含む場合について説明した。ここでは、検索キーワードデータが、キーワードに加えて、評価値（重み付けパラメータ）、およびコンテンツ識別情報を含む場合について説明する。
【０１０４】
（評価値）
評価値は、字幕を構成する文字列から抽出したキーワードの重み付けを示す重み付けパラメータである。評価値の算出方法について、以下に説明する。なお、本実施形態では、字幕が「バイオエタノール」というキーワードを含んでいる場合を例に挙げて説明する。
【０１０５】
まず、コンテンツ再生装置１は、字幕における最後の字幕の再生時刻から最初の字幕の再生時刻を引いた値を、字幕に対応する話題の長さとする。ここでは、話題の長さが「１５」と算出されたとする。
【０１０６】
次に、コンテンツ再生装置１は、同じ話題における各キーワードの出現回数を算出する。字幕にはキーワードとして「バイオエタノール」が含まれるので、「バイオエタノール」の出現回数を算出する。ここでは、「バイオエタノール」の出現回数が「３」であったとする。
【０１０７】
コンテンツ再生装置１は、数式Ｖ＝Ｎ÷Ｌを用いてキーワードの評価値を算出する。この式において、「Ｖ」は話題の評価値である。「Ｌ」は話題の長さである。「Ｎ」はキーワードの出現回数である。すなわち、「バイオエタノール」の評価値を算出する場合には、評価値Ｖとして３÷１５＝０．２を算出する。コンテンツ再生装置１は、この値と、キーワードとを関連付けて記録する。
【０１０８】
（検索キーワードデータに評価値を含む場合の関連コンテンツの抽出）
次に、検索キーワードデータに評価値を含む場合の関連コンテンツの抽出について説明する。
【０１０９】
検索キーワードデータを受信したコンテンツサーバ装置では、検索キーワードデータに含まれる評価値に基づいて相関値を算出する。例えば、コンテンツ再生装置１から検索キーワードデータとして話題αを送信した場合、まず、話題αと、コンテンツサーバ装置に記録されている字幕付コンテンツのうちのある話題βとの相関度を算出する。話題αは、キーワードとして、例えば「バイオエタノール」、「ガソリン」、および「高騰」を含んでいる。一方、話題βは、キーワードとして、例えば「年金問題」および「社会保険庁」を含んでいる。両者に共通するキーワードは一つもない。そのため、話題αと話題βとの相関度は、「０」として算出される。次に話題αとコンテンツサーバ装置に記録されている字幕付コンテンツのうちのある話題γとの相関度を算出する。話題γは、キーワードとして、例えば「高騰」、「ガソリン」、および「原油価格」を含んでいる。話題αと話題γとでは、２つのキーワードすなわち「高騰」および「ガソリン」が共通している。したがって、「高騰」の評価値および「ガソリン」の評価値をそれぞれ重み付け演算することによって、話題αと話題γとの相関度を算出する。
【０１１０】
具体的には次の通りである。まず、共通するキーワードごとの評価値の積を算出する。すなわち、話題αにおける「ガソリン」の評価値（例えば、０．７２）と、話題γにおける「ガソリン」の評価値（例えば、０．７３）とを掛け合わせた値を得る。その値は０．５２５６である。次に、話題αにおける「高騰」の評価値（例えば、０．３４）と、話題γにおける「高騰」の評価値（例えば、０．９２）とを掛け合わせた値を得る。その値は０．３１２８である。そして、キーワードごとに算出した積を加算し、所定の相関度を得る。その値は０．５２５６＋０．３１２８＝０．８３８４である。すなわち、話題αと話題γとの相関度は「０．８３８４」として算出される。
【０１１１】
このように、コンテンツサーバ装置では、コンテンツ再生装置１から送信された検索キーワードデータと、コンテンツサーバ装置に記録されている全ての字幕付コンテンツの話題との相関度を算出し、相関度の高いものから順に関連コンテンツとして抽出する。そのため、コンテンツ再生装置１において再生する字幕付コンテンツに含まれるキーワードのうち、より重きをおくキーワードが、取得するコンテンツ情報に反映されやすくなる。これによって、コンテンツ再生装置１は、字幕付コンテンツにより一層関連の深いコンテンツのコンテンツ情報を提示することができる。
【０１１２】
なお、関連コンテンツの抽出は、例えば、最も相関度の高いものを１つ抽出するようにしてもよいし、所定の閾値を超えるものとｗ関連コンテンツとして抽出するようにしてもよい。また、関連コンテンツとして抽出する数が予め決められている場合には、相関度の高い順に決められた数だけ抽出するようにしてもよい。
【０１１３】
（コンテンツ識別情報）
コンテンツ識別情報は、字幕付コンテンツを識別するための、字幕付コンテンツごとにユニークな識別子である。コンテンツ識別情報としては、具体的には、字幕付コンテンツにユニークに備えられているコンテンツＩＤまたは電子番組番組ガイド（ＥＰＧ）に含まれる字幕付コンテンツの放送時刻および字幕付コンテンツの内容を示すデータなどを挙げることができる。これらの情報は、公知の抽出手段を用いて抽出される。
【０１１４】
例えば、外部のサーバ装置から関連コンテンツを抽出する場合、サーバ装置へコンテンツ識別情報を送信することにより、サーバ装置は、送信されてきたコンテンツＩＤまたはＥＰＧデータから、クライアント端末（コンテンツ再生装置１）側のユーザーがどのようなコンテンツを視聴していたのかを判別することができる。これによって、送信されてくる検索キーワードデータに基づいて、各コンテンツがどの程度視聴されているのか（いわゆる視聴率）を測定することができる。
【０１１５】
なお、コンテンツ再生装置１に、例えばユーザーの年齢（年齢層）、性別、居住地域などを設定しておき、それらの情報をコンテンツ識別情報と共に送信することにより、さらに詳細な視聴率を測定することもできる。
【０１１６】
（コンテンツ再生装置の変形例）
コンテンツ再生装置１では、表示装置８において字幕付コンテンツとコンテンツ情報とを表示する場合について説明したが、これに限定されるものではない。字幕付コンテンツとコンテンツ情報とがそれぞれ異なる表示装置に表示されてもよい。字幕付コンテンツとコンテンツ情報とがそれぞれ異なる表示装置に表示される場合の例について、図６および７を参照して以下に説明する。
【０１１７】
図６は、コンテンツ再生装置１ｂの要部構成を示すブロック図である。コンテンツ再生装置１ｂは、映像表示ユニット５０および情報表示ユニット５１を備えている。各ユニットの動作について以下に説明する。
【０１１８】
映像表示ユニット５０では、コンテンツ再生装置１と同様の動作によりコンテンツ情報を取得する。すなわち、コンテンツ情報取得部６が、検索キーワードデータ作成部４において作成した検索キーワードデータに基づいて抽出された関連コンテンツのコンテンツ情報を取得する。次に、コンテンツ情報取得部６は、情報表示ユニット５１の通信部５２へコンテンツ情報を送信する。このとき、映像表示ユニット５０の表示装置８ｂでは、字幕付コンテンツが表示される。
【０１１９】
コンテンツ情報を受信した通信部５２は、受信したコンテンツ情報をコンテンツ情報表示部７へ出力する。コンテンツ情報表示部７は、表示装置８ｃにコンテンツ情報を表示する。すなわち、コンテンツ情報表示部７は、字幕付コンテンツの表示されている表示装置８ｂとは異なる表示装置８ｃにコンテンツ情報を表示する。
【０１２０】
図７は、コンテンツ再生装置１ｃの要部構成を示すブロック図である。コンテンツ再生装置１ｃは、映像表示ユニット５３および情報表示ユニット５４を備えている。各ユニットの動作について、以下に説明する。
【０１２１】
映像表示ユニット５２では、再生制御部５が字幕付コンテンツを再生すると共に、字幕抽出部５５が字幕付コンテンツから字幕を抽出する。そして、通信部５６が、抽出した字幕を情報表示ユニット５４の通信部５７へ送信する。
【０１２２】
抽出された字幕を受信した情報表示ユニット５４では、コンテンツ再生装置１と同様の動作によりコンテンツ情報を取得する。すなわち、コンテンツ情報取得部６が、検索キーワードデータ作成部４において作成した検索キーワードデータに基づいて抽出された関連コンテンツのコンテンツ情報を取得する。そして、コンテンツ情報表示部７が、取得したコンテンツ情報を表示装置８ｃに表示する。すなわち、コンテンツ情報表示部７は、字幕付コンテンツの表示されている表示装置８ｂとは異なる表示装置８ｃにコンテンツ情報を表示する。
【０１２３】
ここで、情報表示ユニット５１、５４は、文字情報であるコンテンツ情報を表示するため、ユーザーの手元あるいはユーザーに近い位置で視聴できることが好ましい。したがって、情報表示ユニット５１、５４は、携帯電話またはＰＤＡなどの携帯型情報端末であることが好ましい。一方、映像を表示する映像表示ユニット５０、５３は、ユーザーから比較的遠い位置であっても問題ないため、テレビまたはパソコン（パーソナルコンピュータ）であることが好ましい。
【０１２４】
また、コンテンツ再生装置１ｂおよび１ｃのいずれにおいても、コンテンツ情報は、コンテンツ再生装置１と同様に、関連コンテンツの保存されているアドレスに関連付けられて表示されることが好ましい。すなわち、コンテンツ再生装置１ｂおよび１ｃは、コンテンツ再生装置１と同様に、ユーザーがコンテンツ情報を選択することにより、選択されたコンテンツ情報に対応する関連コンテンツを自動的に取得することができることが好ましい。
【０１２５】
このとき、コンテンツ再生装置１ｂでは、情報表示ユニット５１の処理をできるだけ軽減するために、関連コンテンツは、映像表示ユニット５０により取得されることが好ましい。すなわち、ユーザーがあるコンテンツ情報を選択すると、どのコンテンツ情報が選択されたのかを示す情報が通信部５２を経て映像表示ユニット５０へ送られる。そして、上記の情報に基づいて、映像表示ユニット５０に備えられた関連コンテンツ取得部（図示しない）は、選択されたコンテンツ情報を有する関連コンテンツの取得を開始する。
【０１２６】
一方、コンテンツ再生装置１ｃでは、関連コンテンツを取得するユニットは、いずれであってもよい。いずれのユニットも関連コンテンツ取得部を備えている場合には、ユーザーがいずれのユニットで関連コンテンツを取得するのかを設定するようにしてもよい。
【０１２７】
さらに、情報表示ユニット５４が字幕を表示する字幕表示部９を備えている場合には、コンテンツ情報と共に、字幕を表示装置８ｃに表示するようにしてもよい。なお、映像表示ユニット５０と情報表示ユニット５１との通信、および映像表示ユニット５３と情報表示ユニット５４との通信は、互いが通信可能であれば、その具体的な手段は限定されるものではない。例えば、ＩｒＤＡおよびＢｌｕｅｔｏｏｔｈ（登録商標）のような無線通信であってもよく、有線通信であってもよい。また、ネットワーク通信を利用してもよい。なお、コンテンツ再生装置１ｂ、１ｃは、各ユニットを備えたコンテンツ再生システムと言い換えることもできる。
【０１２８】
（字幕付コンテンツとコンテンツ情報とが異なる表示装置に表示される場合の表示）
字幕付コンテンツとコンテンツ情報とが異なる表示装置に表示される場合の表示の一例を図８に示す。図８は、コンテンツ情報が、字幕付コンテンツを表示する表示装置８ｂと異なる表示装置８ｃに表示される場合の各表示装置における表示を概略的に示す図である。ここでは、図６に示したコンテンツ再生装置１ｂの場合を例に挙げて説明する。
【０１２９】
図８に示すように、表示装置８ｂには、字幕付コンテンツの映像３０が表示される。そして表示装置８ｃには、コンテンツ情報３１が表示される。表示装置８ｂを備える映像表示ユニット５０からは、コンテンツ情報が表示装置８ｃを備える情報表示ユニット５１へ送信される。また、表示装置８ｃを備える情報表示ユニット５１からは、例えばユーザーがコンテンツ情報３１を選択した場合、選択したコンテンツ情報３１に対応する関連コンテンツのアドレスが表示装置８ｂを備える情報取得ユニット５０へ送信される。そして、映像表示ユニット５０は、受信したアドレスを参照して関連コンテンツを取得する。そして、映像表示ユニット５０は、字幕付コンテンツの映像３０に変わって、関連コンテンツを表示装置８ｂに表示する。すなわち、表示装置８ｂには、映像３０に代わって関連コンテンツの映像が表示されることになる。
【０１３０】
なお、情報表示ユニット５１が再生制御部５を備えている場合には、取得した関連コンテンツを情報取得ユニット５１へ送信することにより、関連コンテンツを表示装置８ｃに表示させるようにしてもよい。この場合、映像表示ユニット５０において再生している字幕付コンテンツを視聴しつつ、関連コンテンツの内容を理解するために、音声を出力することなく関連コンテンツを再生することが好ましい。すなわち、関連コンテンツは、字幕ベースで視聴できるように再生することが好ましい。
【０１３１】
（付記事項）
本実施形態では、字幕付コンテンツを再生する際に、コンテンツ情報を取得する場合について説明しているが、これに限定されるものではない。例えば、コンテンツ取得部２において字幕付コンテンツを取得したときに、本実施形態において説明した動作と同様の動作によりコンテンツ情報を取得してもよい。この場合、取得したコンテンツ情報は、取得した字幕付コンテンツと関連付けてコンテンツデータベース３に保存しておけばよい。
【０１３２】
字幕付コンテンツを取得した際にコンテンツ情報を取得する場合には、字幕付コンテンツを再生する際に、関連付けられたコンテンツ情報を表示することになる。これによって、字幕付コンテンツを再生しつつ、コンテンツ情報を取得する場合よりも、コンテンツ再生装置１、１ｂ、１ｃの負担を軽減することができる。
【０１３３】
〔実施形態２〕
本発明に係るコンテンツ情報表示システムの一実施形態を実施形態２として、図９〜１１を参照しつつ以下に説明する。なお、実施形態１と同様の部材については同一の符号を付し、その説明を省略する。また、本実施形態においても、実施形態１と同様に、付加情報が字幕である場合を例に挙げて説明する。
【０１３４】
（コンテンツ情報表示システム１００の構成）
コンテンツ情報表示システム１００の構成について、図９を参照して以下に説明する。図９は、コンテンツ情報表示システム１００の構成を示すブロック図である。図９に示すように、コンテンツ情報表示システム１００は、コンテンツサーバ装置６０と、コンテンツサーバ装置６０に接続された少なくとも１つのコンテンツ再生装置１（クライアント端末）とを備えている。コンテンツ再生装置１については、実施形態１において詳述したため、その詳細な説明は省略する。したがって、本実施形態では、コンテンツサーバ装置６０についてのみ、以下に説明する。
【０１３５】
（コンテンツサーバ装置６０の構成）
コンテンツサーバ装置６０の構成について、図９を参照してさらに説明する。図９に示すように、コンテンツサーバ装置６０は、通信部６１、関連コンテンツ抽出部６２、コンテンツ蓄積部６３、およびコンテンツ情報作成部６４を備えている。そして、例えばインターネットなどのネットワークを介して、コンテンツ再生装置１が複数接続されている。各部材の機能について、以下に説明する。
【０１３６】
（通信部６１）
通信部６１は、コンテンツ再生装置１とデータの送受信を行う。より具体的には、通信部６１は、コンテンツ再生装置１から送信された検索キーワードデータを受信する受信部、および検索キーワードデータに基づいて抽出された関連コンテンツのコンテンツ情報をコンテンツ再生装置１に送信する送信部である。
【０１３７】
（関連コンテンツ抽出部６２）
関連コンテンツ抽出部６２は、いわゆる検索エンジンであり、通信部６１において受信した検索キーワードデータに基づいて、コンテンツ蓄積部６３から関連コンテンツを抽出する。具体的には、検索キーワードデータに含まれるキーワードに一致するキーワードを含む字幕付コンテンツを、関連コンテンツとしてコンテンツ蓄積部６３から抽出する。
【０１３８】
（コンテンツ蓄積部６３）
コンテンツ蓄積部６３は、話題を複数有している字幕付コンテンツを蓄積するデータベースである。
【０１３９】
（コンテンツ情報作成部６４）
コンテンツ情報作成部６４は、関連コンテンツ抽出部６２において抽出された関連コンテンツの内容を示すコンテンツ情報を作成する。
【０１４０】
コンテンツ情報作成部６４は、抽出した関連コンテンツの字幕から、ある定められたルールに基づいてコンテンツ情報を作成する。例えば、抽出された関連コンテンツの字幕を利用してコンテンツ情報を作成したり、関連コンテンツのＥＰＧ情報を利用してコンテンツ情報を作成したりする。字幕を利用してコンテンツ情報を作成する場合には、キーワードが含まれるようにすることが好ましい。また、タイトルをコンテンツ情報に含めたい場合には、ＥＰＧ情報を利用してコンテンツ情報を作成することが好ましい。なお、コンテンツ情報作成部６４は、字幕およびＥＰＧ情報の双方を利用してコンテンツ情報を作成するようにしてもよい。
【０１４１】
（コンテンツサーバ装置６０の動作）
コンテンツサーバ装置６０の動作の一例について、図１０を参照して以下に説明する。図１０は、コンテンツサーバ装置６０の動作の一例を示すフローチャートである。
【０１４２】
コンテンツサーバ装置６０は、コンテンツ再生装置１から送信された検索キーワードデータを受信すると（ステップＳ２０）、受信した検索キーワードデータに含まれるキーワードに基づいて、コンテンツ蓄積部６３に蓄積されている字幕付コンテンツから関連コンテンツを抽出する（ステップＳ２１）。具体的には、蓄積されている字幕付コンテンツに含まれる話題の有するキーワードと、検索キーワードデータに含まれるキーワードとが一致するものを関連コンテンツとして抽出する。すなわち、関連コンテンツは、話題ごとに抽出される。
【０１４３】
コンテンツ情報作成部６４は、抽出した関連コンテンツの内容を示すコンテンツ情報を作成する（ステップＳ２２）。コンテンツ情報作成部６４は、作成したコンテンツ情報を送信部６６へ出力する。送信部６６は、検索キーワードデータを送信してきたコンテンツ再生装置１に対して、作成したコンテンツ情報を送信する（ステップＳ２３）。
【０１４４】
（コンテンツ情報の作成）
コンテンツサーバ装置６０におけるコンテンツ情報の作成について以下に説明する。
【０１４５】
コンテンツ情報は、実施形態１において説明したように、例えば関連コンテンツのタイトとすることができる。この場合、コンテンツ情報作成部６４は、字幕付コンテンツのタイトルである「ニュースＸ」、話題のタイトルである「バイオ燃料を探る」を抽出し、それらを連結した文字情報をコンテンツ情報として作成する。
【０１４６】
関連コンテンツのタイトルをコンテンツ情報とする以外にも、例えば、抽出した関連コンテンツの字幕において、検索キーワードに含まれるキーワードと一致するキーワードを含む文字列などをコンテンツ情報として作成してもよい。
【０１４７】
また、コンテンツ情報は、関連コンテンツの保存先のアドレスを関連付けて作成することが好ましい。
【０１４８】
コンテンツ情報のフォーマットは、コンテンツ再生装置１において表示可能なフォーマットであれば、特に種類が限定されるものではない。コンテンツ情報のフォーマットとしては、例えばＲＳＳなどを挙げることができる。
【０１４９】
また、コンテンツ蓄積部６３に蓄積されている各字幕付コンテンツに、例えばサムネイルなどの情報が関連付けて登録されている場合には、コンテンツ情報作成部６４は、関連付けられているサムネイルなどの情報をコンテンツ情報とするようにしてもよい。
【０１５０】
（コンテンツ情報表示システム１００の利点）
コンテンツ情報表示システム１００が以上のような構成を有することによって、ユーザーは、関連コンテンツのコンテンツ情報を得るための検索キーワードデータの入力を一切行う必要がない。すなわち、コンテンツ情報表示システム１００は、ユーザーに煩雑な作業を強いることなく、コンテンツ情報をユーザーに提示することができる。
【０１５１】
また、コンテンツサーバ装置６０は、関連コンテンツを、話題ごとに抽出することができる。すなわち、コンテンツサーバ装置６０は、話題ごとコンテンツ情報を作成することができる。これによって、コンテンツが抽出される場合であっても、被関連コンテンツに関連する部分のみを関連コンテンツとして抽出し、そのコンテンツ情報をユーザーに提示することができる。
【０１５２】
（コンテンツサーバ装置６０ｂがユーザーデータベース４５を備えている場合）
実施形態１では、コンテンツ再生装置１にユーザーデータベース４５が備えられている場合について説明したが、これに限定されるものではない。ユーザーデータベース４５は、コンテンツサーバ装置側に備えられていてもよい。コンテンツサーバ装置がコンテンツデータベース４５を備えている場合のコンテンツ情報表示システムについて、図１１を参照して以下に説明する。図１１は、コンテンツ情報表示システム１００ｂの構成を示すブロック図である。なお、ここでは、図１１に示すコンテンツ再生装置１にユーザーデータベース４５を備えていない場合を例に挙げて説明する。
【０１５３】
コンテンツサーバ装置６０ｂは、図１１に示すように、接続されているコンテンツ再生装置１各々に対応するユーザーデータベース４５を備えている。なお、図１１では、本実施形態の理解を容易にするために、「Ａ」と表示したコンテンツ再生装置１（以下、コンテンツ再生装置（Ａ）１と称する）に対応するユーザーデータベースを「ユーザーデータベースＡ」とする。なお、図１１に示す「ユーザーデータベースＢ」および「ユーザーデータベースＣ」についてもこれと同様である。
【０１５４】
次に、コンテンツサーバ装置６０ｂの動作の一例について説明する。なお、ここでは、コンテンツ再生装置（Ａ）１を用いた場合を例に挙げて説明する。
【０１５５】
コンテンツ再生装置（Ａ）１は、検索キーワードデータと共に、自身のアーキテクチャ情報をコンテンツサーバ装置６０ｂに対して送信する。コンテンツ再生装置（Ａ）１から検索キーワードデータおよびアーキテクチャ情報を受信したコンテンツサーバ装置６０ｂに備えられたクライアント端末認識部（図示しない）は、アーキテクチャ情報に基づいて、検索キーワードデータを送信したコンテンツ再生装置を認識する。
【０１５６】
そして、クライアント端末認識部が、検索キーワードデータを送信したクライアント端末がコンテンツ再生装置（Ａ）１であると認識すると、キーワードデータ取得部（図示しない）は、コンテンツ再生装置（Ａ）１に対応するユーザーデータベース４５（以下、ユーザーデータベース（Ａ）４５と称する）から、登録されているキーワードデータを取得し、関連コンテンツ抽出部６２へと送る。そして、関連コンテンツ抽出部６２は、コンテンツ再生装置（Ａ）１から受信した検索キーワードデータと、ユーザーデータベース（Ａ）４５に登録されているキーワードデータとを用いて、コンテンツ蓄積部６３から関連コンテンツを抽出する。その後の処理は、上述したコンテンツサーバ装置６０の動作と同様であるため、ここではその詳細な説明を省略する。
【０１５７】
また、ユーザーデータベース４５は、実施形態１において説明したように、登録されているキーワードデータが、ユーザーの利用状況に応じて適宜変更される。したがって、ユーザーデータベース４５がコンテンツサーバ装置側に備えられている場合、ユーザーデータベース４５に登録されているキーワードデータは、コンテンツ再生装置１からの関連コンテンツの取得要求を受信し、コンテンツ再生装置１に関連コンテンツを送信する際に更新することが好ましい。すなわち、コンテンツサーバ装置６０ｂは、関連コンテンツを送信するコンテンツ再生装置１に送信する際に、関連コンテンツの有するキーワードデータを該当するユーザーデータベース４５に新たに登録することが好ましい。
【０１５８】
なお、アーキテクチャ情報は、接続されているコンテンツ再生装置１を識別することができれば特に限定されるものではないが、コンテンツ再生装置１のネットワーク環境の変化などにより変化されない情報であることが好ましい。
【０１５９】
（付記事項）
本実施形態では、クライアント端末としてコンテンツ再生装置１を用いた場合を例に挙げて説明しているが、これに限定されるものではない。コンテンツ再生装置１と同様の機能を有する装置であれば、コンテンツ再生装置１の代わりに用いることができる。例えば、コンテンツ再生装置１の代わりに、コンテンツ再生装置１ｂまたは１ｃを用いる場合であっても、コンテンツ再生装置１を用いた場合と同様の作用効果を得ることができる。
【０１６０】
また、本実施形態では、コンテンツ再生装置１において検索キーワードデータを作成する場合について説明しているが、クライアント端末が、例えば情報表示ユニット５１のようにコンテンツ情報の表示のみを行う場合には、コンテンツサーバ装置５０側に検索キーワードデータ作成部４を備えていてもよい。すなわち、クライアント端末側において、字幕付コンテンツから字幕を抽出し、抽出した字幕をコンテンツサーバ装置５０に送信する。コンテンツサーバ装置５０は、受信した字幕を用いて、キーワード抽出などを行うようにしてもよい。
【０１６１】
（プログラムおよび記録媒体）
コンテンツ再生装置１、１ｂ、１ｃに含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１６２】
すなわちコンテンツ再生装置１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１６３】
この記録媒体は、上述した機能を実現するソフトウェアであるコンテンツ再生装置１、１ｂ、１ｃのプログラムのプログラムコード（実行形式プログラム、中間コードプログラム、ソースプログラム）をコンピュータで読み取り可能に記録していればよい。コンテンツ再生装置１に、この記録媒体を供給する。これにより、コンピュータとしてのコンテンツ再生装置１（またはＣＰＵやＭＰＵ）が、供給された記録媒体に記録されているプログラムコードを読み出し、実行すればよい。
【０１６４】
プログラムコードをコンテンツ再生装置１、１ｂ、１ｃに供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１６５】
また、コンテンツ再生装置１、１ｂ、１ｃを通信ネットワークと接続可能に構成しても、本発明の目的を達成できる。この場合、上記のプログラムコードを、通信ネットワークを介してコンテンツ再生装置１に供給する。この通信ネットワークはコンテンツ再生装置１、１ｂ、１ｃにプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１６６】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１６７】
以上、本発明を実施形態に基づいて具体的に説明したが、本発明は、上述した各実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１６８】
本発明に係るコンテンツ再生装置は、ビデオ・オン・デマンドなどのネットワーク通信を介した映像配信システムにより映像コンテンツを取得できるテレビまたはパソコンにおいて幅広く利用することができる。このようなテレビまたはパソコンは、関連する動画コンテンツの入手が容易であるため、ビデオ・オン・デマンドの利用率の向上に有効である。
【図面の簡単な説明】
【０１６９】
【図１】コンテンツ再生装置の要部構成を示すブロック図である。
【図２】コンテンツ再生装置におけるコンテンツ情報の表示動作の一例を示すフローチャートである。
【図３】コンテンツ再生装置における表示装置でのコンテンツ情報の表示を概略的に示す図である。
【図４】検索キーワードデータ作成部の構成を示すブロック図である。
【図５】コンテンツ再生装置における関連コンテンツの取得および再生動作の一例を示すフローチャートである。
【図６】コンテンツ情報と字幕付コンテンツが異なる表示装置に表示されるコンテンツ再生装置の要部構成を示すブロック図である。
【図７】コンテンツ情報と字幕付コンテンツが異なる表示装置に表示されるコンテンツ再生装置の要部構成を示すブロック図である。
【図８】コンテンツ情報を表示する表示装置が、字幕付コンテンツを表示する表示装置と異なる表示装置に表示される場合のコンテンツ情報の表示を概略的に示す図である。
【図９】コンテンツ情報表示システムの構成を示すシステムブロック図である。
【図１０】コンテンツサーバ装置の動作の一例を示すフローチャートである。
【図１１】コンテンツ情報表示システムの変形例の構成を示すシステムブロック図である。
【符号の説明】
【０１７０】
１                コンテンツ再生装置
１ｂ、１ｃ        コンテンツ再生装置（コンテンツ再生システム）
２                コンテンツ取得部
３                コンテンツデータベース
４                検索キーワードデータ作成部（抽出手段）
５                再生制御部
６                コンテンツ情報取得部
７                コンテンツ情報表示部（表示手段）
８、８ｂ、８ｃ    表示装置
９                字幕表示部
１０              映像表示部
４１              キーワード抽出部
４２              話題作成部
４３              話題データベース
４４              検索キーワードデータ設定部
４５              ユーザーデータベース
５０、５３        映像表示ユニット
５１、５４        情報表示ユニット
６０、６０ｂ      コンテンツサーバ装置
６１              通信部
６２              関連コンテンツ抽出部
６３              コンテンツ蓄積部
６４              コンテンツ情報作成部
１００、１００ｂ  コンテンツ情報表示システム
【図１】
0005143593.tif 000002
【図２】
0005143593.tif 000003
【図３】
0005143593.tif 000004
【図４】
0005143593.tif 000005
【図５】
0005143593.tif 000006
【図６】
0005143593.tif 000007
【図７】
0005143593.tif 000008
【図８】
0005143593.tif 000009
【図９】
0005143593.tif 000010
【図１０】
0005143593.tif 000011
【図１１】
0005143593.tif 000012